(57)【特許請求の範囲】
【請求項１】
コンピューターのマザー・ボード上に設置され、該マザー・ボードに新たにインストールされたマイクロプロセッサーの送電仕様を更新する回路であって、
電力需要信号とプログラム・データ信号を出力する前記マイクロプロセッサーと、
前記マイクロプロセッサーに接続し、前記電力需要信号と前記プログラム・データ信号を受信し、前記電力需要信号に基づいて前記プログラム・データ信号を実行することにより仕事電圧制御信号を出力するプログラマブル・メモリー集積回路と、
前記プログラマブル・メモリー集積回路に接続し、前記仕事電圧制御信号を受信し、前記仕事電圧制御信号に基づいてパルス幅変調信号を出力するＰＷＭ制御ユニットと、
前記プログラマブル・メモリー集積回路と前記ＰＷＭ制御ユニットとの間に接続し、前記ＰＷＭ制御ユニット中の過電圧、過電流及び過温度の状態を取得して前記プログラマブル・メモリー集積回路へ伝送するフィードバック安定ユニットと、
前記ＰＷＭ制御ユニットと少なくとも一つのパワー・スイッチングに接続し、前記パルス幅変調信号を受信し、前記パルス幅変調信号に基づいて前記パワー・スイッチングを駆動して切り替え動作を行い、前記パワー・スイッチングを介して前記マイクロプロセッサーの需要する電力を提供する駆動ユニットと、
を含む、
ことを特徴とするマイクロプロセッサーの送電仕様を更新する回路。
【請求項２】
前記プログラム・データ信号は、前記コンピューターのマザー・ボード上に設置されるコンピューター・システムにより、インターネットを介して遠端のサーバーからダウンロードされる、
ことを特徴とする請求項１記載のマイクロプロセッサーの送電仕様を更新する回路。
【請求項３】
前記プログラム・データ信号は、前記コンピューターのマザー・ボード上に設置されるコンピューター・システムにより、外部の記憶装置から取得される、
ことを特徴とする請求項１記載のマイクロプロセッサーの送電仕様を更新する回路。
【請求項４】
前記パワー・スイッチングは、トランジスターである、
ことを特徴とする請求項１記載のマイクロプロセッサーの送電仕様を更新する回路。
【請求項５】
コンピューターのマザー・ボード上に設置され、該マザー・ボードに新たにインストールされたマイクロプロセッサーの送電仕様を更新する回路であって、
電力需要信号とプログラム・データ信号を出力する前記マイクロプロセッサーと、
前記マイクロプロセッサーに接続し、前記電力需要信号と前記プログラム・データ信号を受信し、前記電力需要信号に基づいて前記プログラム・データ信号を実行することにより仕事電圧制御信号を生成し、該仕事電圧制御信号によりパルス幅変調信号を出力するプログラマブルＰＷＭ制御ユニットであって、フィードバック安定ユニットをさらに含み、該フィードバック安定ユニットは、前記プログラマブルＰＷＭ制御ユニットを過電圧、過電流及び過温度から保護するものであるプログラマブルＰＷＭ制御ユニットと、
前記プログラマブルＰＷＭ制御ユニットと少なくとも一つのパワー・スイッチングに接続し、前記パルス幅変調信号を受信し、前記パルス幅変調信号に基づいて前記パワー・スイッチングを駆動して切り替え動作を行い、前記パワー・スイッチングを介して前記マイクロプロセッサーの需要する電力を提供する駆動ユニットと、
を含む、
ことを特徴とするマイクロプロセッサーの送電仕様を更新する回路。
【請求項６】
コンピューターのマザー・ボード上に設置され、該マザー・ボードに新たにインストールされたマイクロプロセッサーの送電仕様を更新する回路における方法であって、
前記回路により、前記マイクロプロセッサーを検出し、前記マイクロプロセッサーの送電仕様が新たな仕様であるかどうかを判断するステップと、
前記マイクロプロセッサーの送電仕様が新たな仕様であれば、前記コンピューターのマザー・ボード上に設置されるコンピューター・システムにより、前記マイクロプロセッサーの新たなプログラム・データ信号をダウンロードするステップと、
前記回路により、前記プログラム・データ信号を、前記回路に含まれるプログラマブル・メモリー集積回路中へ書き込んで送電システムをリセットするステップと、
前記プログラマブル・メモリー集積回路により、前記プログラム・データ信号を実行し、回路保護の検出を実行し、回路の損害を避けるステップと、
前記プログラマブル・メモリー集積回路により、前記回路に含まれるＰＷＭ制御ユニット、駆動ユニット及びパワー・スイッチングを介して、前記マイクロプロセッサーの新たな送電仕様を前記マイクロプロセッサーへ提供するステップと、
前記マイクロプロセッサーにより、起動動作を行なうステップと、
を含む、
ことを特徴とする方法。
【請求項７】
前記マイクロプロセッサーを検出し前記マイクロプロセッサーの送電仕様が新たな仕様であるかどうかを判断するステップにおいて、
前記マイクロプロセッサーの送電仕様が新たな仕様でなければ、前記マイクロプロセッサーにより起動動作を行なう、
ことを特徴とする請求項６記載の方法。
【請求項８】
前記マイクロプロセッサーの新たなプログラム・データ信号をダウンロードするステップにおいて、
前記プログラム・データ信号は、前記コンピューター・システムにより、インターネットを介して遠端のサーバーからダウンロードされる、
ことを特徴とする請求項６記載の方法。
【請求項９】
前記マイクロプロセッサーの新たなプログラム・データ信号をダウンロードするステップにおいて、
前記プログラム・データ信号は、前記コンピューター・システムにより、外部の記憶装置から取得される、
ことを特徴とする請求項６記載の方法。
【発明の詳細な説明】
【技術分野】
【０００１】
マイクロプロセッサーの送電仕様の更新をする回路及びその方法は、特にコンピューターのマザー・ボードの上に使用され、プログラマブル・メモリー集積回路を利用することにより記憶して保存し、且つマイクロプロセッサーの送電仕様のプログラム・データを実行することにより、マイクロプロセッサーの需要する電力を提供する回路及びその方法を指す。
【背景技術】
【０００２】
科学技術が日進月歩で新しくなるため、コンピューターは既に非常に普及して人々の生活中の一部となり、コンピューター・ソフトウェアの世界にマルチメディアの発展及び需要へ向ける下では、次にコンピューターもソフトウェアの需要に対応して絶えず更新し且つ改良し、この更新及び改良の下では、その生産できたコンピューターの価格ラインが一般な消費者により負担できず、従ってユーザーがコンピューター内部のマザー・ボード及びマイクロプロセッサーを交換することにより、コンピューターのグレード・アップ及び機能の増強を達成する。
【０００３】
図１は、それが従来のマイクロプロセッサーの送電回路のブロック模式図である。図１に示すように、従来のコンピューター・マザー・ボード１の中では、マイクロプロセッサー１２は、ＰＷＭ制御ユニット１４に接続し、且つ仕事の需要する電圧対応信号をＰＷＭ制御ユニット１４へ伝送する。ＰＷＭ制御ユニット１４は、マイクロプロセッサー１２から伝送された電圧対応信号を受信した後に、マイクロプロセッサー１２との仕事の需要する電圧対応のパルス幅変調信号の一つを生成することにより、駆動ユニット１６を制御するように用いられ、マザー・ボード１の提供する電力に基づいて少なくとも一つのパワー・スイッチング１８を駆動し、切替動作を行い、ひいてはマイクロプロセッサー１２の仕事の需要する電圧を出力する。
【０００４】
ユーザーは通常交換速度のより速いマイクロプロセッサー１２により、コンピューターのグレード・アップの目的を達成するが、然しながら交換された新たなマイクロプロセッサー１２は、その仕事電圧仕様がよく古いマイクロプロセッサー１２の仕事電圧仕様とは違い、従って新たなマイクロプロセッサー１２が仕事の需要する電圧対応信号をＰＷＭ制御ユニット１４へ伝送する時に、ＰＷＭ制御ユニット１４が新たなマイクロプロセッサー１２との仕事の需要する電圧対応のパルス幅変調信号を生成出来ないことを招く。従って、ＰＷＭ制御ユニット１４は駆動ユニット１６を正確に制御することにより当該パワー・スイッチング１８を駆動し、切替動作を行うことが出来ず、そして新たなマイクロプロセッサー１２の仕事の需要する電圧を出力できないことを招く。
【０００５】
このように新たなマイクロプロセッサー１２と元のマザー・ボード１のＰＷＭ制御ユニット１４は、交換性がなく、即ち元のマザー・ボード１のＰＷＭ制御ユニット１４が正常な仕事電圧を新たなマイクロプロセッサー１２に供給できない。従ってユーザーが新たなマイクロプロセッサー１２を交換する時に、よく新たなコンピューターのマザー・ボード１を同時に交換する必要があることにより、新たなマイクロプロセッサー１２の仕事の需要する電圧仕様を提供するように用いられる。このようにユーザーはコンピューターのグレード・アップ及び機能の増強をしようとすれば、通常は巨大の費用を使う必要があることにより達成できる。
【発明の開示】
【発明が解決しようとする課題】
【０００６】
これに鑑み、本発明のマイクロプロセッサーの送電仕様の更新を具する回路及びその方法は、その主要な目的がコンピューターのマザー・ボードにより電力を仕様の異なる仕事電圧のマイクロプロセッサーに有効に提供できないように用いられることを解決し、そしてユーザーはマイクロプロセッサーをグレード・アップし且つ更新する必要がある時に、コンピューターのマザー・ボードと伴い、共に更新する必要がある欠点を引き起こすものである。
【０００７】
本発明のマイクロプロセッサーの送電仕様の更新をする回路は、一つのプログラマブル・メモリー集積回路を利用し、一つのマイクロプロセッサーに接続し、当該マイクロプロセッサーの伝送した一つの電力需要信号と一つのプログラム・データ信号を受信し、且つ当該プログラム・データ信号を実行することにより、一つの仕事電圧制御信号を出力するように用いられる。
【０００８】
当該仕事電圧制御信号を、当該プログラマブル・メモリー集積回路に接続されたＰＷＭ制御ユニットの一つへ伝送することにより、当該ＰＷＭ制御ユニットが一つのパルス幅変調信号を出力するように用いられる。一つのフィードバック安定ユニットは、当該プログラマブル・メモリー集積回路とＰＷＭ制御ユニットとの間に接続し、当該ＰＷＭ制御ユニット中の過電圧，過電流及び過温度の状態を取得し、且つこれらの状態を当該プログラマブル・メモリー集積回路へ伝送する。一つの駆動ユニットは、当該ＰＷＭ制御ユニットと少なくとも一つのパワー・スイッチングに接続し、当該パルス幅変調信号を受信することにより、これらのパワー・スイッチングを駆動して切替動作を行うように用いられる。これらのパワー・スイッチングは、当該コンピューターのマザー・ボード上の供給する直流電源の一つに基づき、且つ切替動作を介して当該マイクロプロセッサーの需要する電力を提供する。
【０００９】
本発明のマイクロプロセッサーの送電仕様の更新を具する回路は、同じ数のピンを具するマイクロプロセッサーを提供するように用いられることにより、マイクロプロセッサーの更新を行なう。即ちマイクロプロセッサーを更新しようとする時に、一つのピン数と古いマイクロプロセッサーのピン数が同じであるマイクロプロセッサーを使用する必要がある。
【発明を実施するための最良の形態】
【００１０】
図２は、本発明のマイクロプロセッサーの送電回路のブロック模式図である。本発明のマイクロプロセッサーの送電仕様の更新をする回路は、コンピューターのマザー・ボード（未表示）の上に設置され、コンピューターのマザー・ボードが電力を仕様の異なる仕事電圧のマイクロプロセッサーに有効に提供できないように用いられ、そしてユーザーがマイクロプロセッサーをグレード・アップし且つ更新する必要がある時に、コンピューターのマザー・ボードと伴い、共に更新する必要がある欠点を解決するが、一つのマイクロプロセッサー２２，一つのプログラマブルＰＷＭ制御ユニット２３，一つの駆動ユニット２８と少なくとも一つのパワー・スイッチング２９を含んでなる。前記の説明中において、当該ＰＷＭ制御ユニット２３は、一つのＰＷＭ制御ユニット２６が一つのフィードバック安定ユニット２７を介して一つのプログラマブル・メモリー集積回路２４に接続することにより構成される。
【００１１】
図３は、本発明のマイクロプロセッサーの送電回路の模式図である。図２に対応し、中でも当該マイクロプロセッサー２２，当該プログラマブル・メモリー集積回路２４，当該ＰＷＭ制御ユニット２６，当該フィードバック安定ユニット２７，当該駆動ユニット２８とこれらのパワー・スイッチング２９が含まれる。さらに、当該プログラマブル・メモリー集積回路２４はフィードバック安定ユニット２７を介して当該ＰＷＭ制御ユニット２６に接続し、当該プログラマブルＰＷＭ制御ユニット２３を構成する。
【００１２】
図３に対応し、再び図２を参照するに、中でも本発明のマイクロプロセッサーの送電仕様の更新を具する回路２は、マイクロプロセッサー２２をプログラマブル・メモリー集積回路２４に接続し、一つの電力需要信号をプログラマブル・メモリー集積回路２４へ伝送し、且つ一つのデータ・バス３０を介してプログラム・データ信号をプログラマブル・メモリー集積回路２４へ伝送する。プログラマブル・メモリー集積回路２４がＰＷＭ制御ユニット２６に接続され、マイクロプロセッサー２２から伝送されたプログラム・データ信号を実行し、且つ当該電力需要信号に基づいて一つの仕事電圧制御信号をＰＷＭ制御ユニット２６へ出力する。フィードバック安定ユニット２７が当該プログラマブル・メモリー集積回路２４とＰＷＭ制御ユニット２６との間に接続され、当該ＰＷＭ制御ユニット２６中の過電圧，過電流及び過温度の状態を取得し、且つこれらの状態を当該プログラマブル・メモリー集積回路２４へ伝送することにより、ＰＷＭ制御ユニット２６中の保護回路を保護する。
【００１３】
ＰＷＭ制御ユニット２６が駆動ユニット２８に接続され、仕事電圧制御信号に基づき、対応する一つのパルス幅変調信号を駆動ユニット２８へ出力するように用いられ、且つパルス幅変調信号が駆動ユニット２８を制御することにより、駆動ユニット２８に接続されたこれらのパワー・スイッチング２９を駆動して切替動作を行なうように用いられる。これらのパワー・スイッチング２９は、当該コンピューターのマザー・ボード（未表示）の上の供給する直流電源の一つに基づき、且つ切替動作を介して当該マイクロプロセッサー２２の需要する電力を提供する。
【００１４】
前記の説明中では、マイクロプロセッサー２２がデータ・バス３０を介してプログラマブル・メモリー集積回路２４へ伝送されたプログラム・データ信号は、送電仕様のプログラム・データ信号の一つである。当該送電仕様のプログラム・データ信号は、コンピューター・システムにより、インターネットを介して遠端のサーバー（未表示）に接続し、ダウンロード及び取得を行なうことが出来、或いは外部のメモリー装置（未表示）の一つを介してダウンロード及び取得を行なうことが出来る。フィードバック安定ユニット２７がレジスタンスＲ６，Ｒ８…及びコンデンサーＣ４，Ｃ６などから構成される。
【００１５】
マイクロプロセッサー２２の送電仕様は、対応する送電仕様のプログラム・データ信号を組合わせる必要があり、且つ当該送電仕様のプログラム・データ信号がマイクロプロセッサー２２から、データ・バス３０を介してプログラマブル・メモリー集積回路２４へ伝送し、同時にプログラマブル・メモリー集積回路２４が送電仕様のプログラム・データ信号の保存及び実行を行なうように用いられる。
【００１６】
前記の説明中では、これらのパワー・スイッチング２９がトランジスターである。
【００１７】
本発明のマイクロプロセッサーの送電仕様の更新をする回路は、同じ数のピンを具するマイクロプロセッサー２２を提供するように用いられることにより、マイクロプロセッサー２２の更新を行なう。即ちマイクロプロセッサー２２を更新しようとする時に、一つのピン数と古いマイクロプロセッサー２２のピン数が同じであるマイクロプロセッサー２２を使用する必要がある。
【００１８】
次に本発明のマイクロプロセッサーの送電仕様の更新をする方法を説明するが、図２に対応し、図４を参照するに、それが本発明のマイクロプロセッサーの送電仕様を更新するステップの流れの模式図で、図４に示すように、そのステップの流れは下記の通りで、まずマイクロプロセッサーの一つを検出し、且つ当該マイクロプロセッサーの送電仕様が新たな仕様であるかどうかを判断し（Ｓ１００）、次にマイクロプロセッサーの新たな送電仕様のプログラム・データ信号の一つをダウンロードし（Ｓ１０２）、その後に当該プログラム・データ信号を一つのプログラマブル・メモリー集積回路中へ書き込み、マイクロプロセッサーから一つのデータ・バスを介し（Ｓ１０４）、そして回路保護検出を実行することにより回路の損害を避け（Ｓ１０５）、この後に送電システムをリセットし（Ｓ１０６）、再び当該プログラム・データ信号を実行し、当該プログラマブル・メモリー集積回路（Ｓ１０８）により、さらに新たなマイクロプロセッサーの需要する送電仕様の電力を当該マイクロプロセッサーへ提供し（Ｓ１１０）、最後に起動動作を行なう（Ｓ１１２）。
【００１９】
前記の説明中では、当該マイクロプロセッサーの一つを検出し且つ当該マイクロプロセッサーの送電仕様が新たな仕様であるかどうかを判断する（Ｓ１００）ステップの中において、当該マイクロプロセッサー２２の送電仕様が新たな仕様でなければ、起動動作を直接に行なう（Ｓ１１２）。当該マイクロプロセッサーの新たな送電仕様のプログラム・データ信号の一つをダウンロードする（Ｓ１０２）ステップの中において、当該プログラム・データ信号は、コンピューターのシステムにより、インターネットを介して遠端のサーバー（未表示）に接続し、ダウンロード及び取得を行なうことが出来、或いは当該プログラム・データ信号は、コンピューターのシステムにより、外部の一つのメモリー装置（未表示）を介してダウンロード及び取得を行なうことが出来る。
【００２０】
ユーザーが新たなマイクロプロセッサー２２を交換する時に、コンピューターのマザー・ボード（未表示）上の送電システムが新たなマイクロプロセッサー２２の需要する送電仕様を検出すべく、且つ当該送電仕様に基づき、対応する一つの送電仕様のプログラム・データ信号のダウンロードを行い、同時にマイクロプロセッサー２２がデータ・バス３０を介して送電仕様のプログラム・データ信号をプログラマブル・メモリー集積回路２４へ伝送し、且つコンピューターのマザー・ボード（未表示）上の送電システムをリセットする。送電システムをリセットした後に、プログラマブル・メモリー集積回路２４は、保存された送電仕様のプログラム・データ信号に対し実行の運算を行い、ＰＷＭ制御ユニット２６，駆動ユニット２８とパワー・スイッチング２９を介し、ひいては新たなマイクロプロセッサー２２の需要する送電仕様の電力を新たなマイクロプロセッサー２２へ提供するように用いられ、起動動作を行なうように用いられる。
【００２１】
前記の叙述を総合し、本発明のマイクロプロセッサーの送電仕様の更新を具する回路及びその方法は、従来のコンピューターのマザー・ボードが電力を仕様の異なる仕事電圧のマイクロプロセッサーに有効に提供できないように用いられ、ひいてはユーザーが新たなマイクロプロセッサーを更新する時に、コンピューターのマザー・ボードを同時に更新する必要があってコンピューターのグレード・アップを達成できるように引き起こす欠点を解決できる。或いは他の周辺に回路設計や部品の交換により、コンピューターのグレード・アップを達成するが、これらの回路の設計やコンピューターのマザー・ボードの交換が何れも巨大の費用を使う必要があることにより達成できる。従って本発明のマイクロプロセッサーの送電仕様の更新を具する回路は、一つのプログラマブル・メモリー集積回路を使用することによりこの問題を解決し、たったユーザーがマイクロプロセッサーの送電仕様の対応する送電仕様のプログラム・データ信号だけをダウンロードし更新し、且つプログラマブル・メモリー集積回路を利用して当該送電仕様プログラム・データを実行すれば、それぞれのマイクロプロセッサーの需要する送電仕様を自動に更新し且つ補正できる。
【００２２】
ただ前記に掲示された図面，説明は、本発明の実施例のみであり、いかなる当該技術をよく分かる者でも、前記の説明に基づいて他の様々な改良が出来るが、そしてこれらの変更が既に本発明の発明精神及び以下の限定された特許請求の範囲中に属する。  
【図面の簡単な説明】
【００２３】
【図１】従来のマイクロプロセッサーの送電回路のブロック模式図である。
【図２】本発明のマイクロプロセッサーの送電回路のブロック模式図である。
【図３】本発明のマイクロプロセッサーの送電回路の模式図である。
【図４】本発明のマイクロプロセッサーの送電仕様を更新するステップの流れの模式図である。
【符号の説明】
【００２４】
１    コンピューターのマザー・ボード
２    マイクロプロセッサーの送電仕様を更新する回路  
１２  マイクロプロセッサー
１４  ＰＷＭ制御ユニット
１５  本発明
１６  駆動ユニット
１８  パワー・スイッチング
２２  マイクロプロセッサー
２３  プログラマブルＰＷＭ制御ユニット
２４  プログラマブル・メモリー集積回路
２６  ＰＷＭ制御ユニット  
２７  フィードバック安定ユニット
２８  駆動ユニット
２９  パワー・スイッチング
３０  データ・バス
【図１】
0004436808.tif 000002
【図２】
0004436808.tif 000003
【図３】
0004436808.tif 000004
【図４】
0004436808.tif 000005